(57)【要約】  【課題】商品収納部より商品を払い出しする際、商品シュート上への商品落下時の衝撃および商品の搬出時に商品に加わる衝撃力を緩衝し、搬出音、商品の傷つき、強炭酸飲料の泡吹き等を抑制することができる自動販売機を提供する。  【解決手段】商品払出装置１０３と商品シュート１０６との間に凸部１０９を設けることにより、商品シュート１０６上に商品１０５が落下する過程で商品１０５の長手方向に対しどちらか一方が凸部１０９と干渉するため、商品１０５の片側ずつ商品シュート１０６上へ着地するため、商品１０５落下時において商品シュート１０６上で瞬間的に発生する大きな衝撃力を緩衝（運動エネルギーを分散）することができる。【選択図】図１
2008217403.tif 000002
【特許請求の範囲】
【請求項１】
商品払出装置を下方に備えた商品収納室から落下した商品を商品取出口へ案内する商品シュートを前記商品収納室の下方に傾斜して備えるとともに、前記商品収納室内に収納された前記商品が横倒し姿勢で前記商品シュートに落下送出される自動販売機において、前記商品収納室は左右の側壁と前記商品収納室下方の前記商品払出装置と前記商品払出装置に対面する規制板で構成され、前記商品払出装置と前記商品シュートの間で、前記商品収納室を構成する前記側壁の一方に商品通路内に向かって凸部を設けたことを特徴とする自動販売機。
【請求項２】
前記商品収納室から落下した前記商品が前記商品シュート上に着地する前に前記商品の長手方向に対しキャップ側が前記凸部と干渉するようにした請求項１に記載の自動販売機。
【請求項３】
前記凸部上面を前記商品払出装置と前記商品取出口の位置関係からみて前記商品取出口と反対方向へ前記商品を誘導するように傾斜させたことを特徴とする請求項１または２に記載の自動販売機。
【請求項４】
前記凸部の前端部は前記規制板との隙間がなく、かつ、前記凸部の後端部は前記規制板との間に前記のキャップ径よりも大きな隙間を設けた請求項１から３のいずれか一項に記載の自動販売機。
【請求項５】
前記凸部の最大凸部と前記凸部と対向する側の前記商品収納室の前記側壁との間の寸法を、前記商品が水平面に対し約３０°程度に達した時点で干渉が解除されるように構成したことを特徴とする請求項１から４のいずれか一項に記載の自動販売機。
【請求項６】
前記凸部を前記商品シュート面に対して前記商品胴径寸法よりも上方へ設けた請求項１から５のいずれか一項に記載の自動販売機。
【発明の詳細な説明】
【技術分野】
【０００１】
本発明は、商品払出装置を備えた商品収納室から搬出された商品を商品シュートを介して商品取出口に送出する自動販売機に関するものである。
【背景技術】
【０００２】
従来、この種の自動販売機は、商品収納装置と商品シュートとの間にダンパ機構を設け、商品払出装置を備えた商品収納室から搬出された商品をダンパ機構により落下衝撃を緩衝しているものがある（例えば、特許文献１参照）。
【０００３】
図５は、特許文献１に記載された従来の自動販売機を示すものである。図５に示すように商品収納室と商品シュート３との間にダンパ機構１０が構成されており、ダンパ機構１０は下方に凸に湾曲した局面形状を有し、前端部を回動自在に支持され、商品払出機構７から払い出された商品Ｓを受け止め可能な受け止め位置と当該商品Ｓを商品シュート３に向かって送り出す送出位置との間で回動可能なフラップ１２とこのフラップ１２を受け止め位置側に付勢する付勢手段１４とを備えている。
【０００４】
以上のように構成された自動販売機について、以下その動作を説明する。
【０００５】
まず、商品収納室から落下送出される商品Ｓは、落下中にその回動可能かつ付勢手段１４により付勢されたフラップ１２に受け止められ、フラップ１２の付勢手段１４により商品Ｓの落下衝撃が緩衝されて、商品Ｓは商品シュート３上に送出される。
【特許文献１】実開平１１−１１０６２６号公報
【発明の開示】
【発明が解決しようとする課題】
【０００６】
しかしながら、上記従来の構成では、商品収納装置と商品シュートとの間にダンパ機構を設けるため、ダンパ機構形成のためのスペースの創出が必要であり、商品収納装置は複数の商品収納部からなり、全ての商品収納部に構成することは困難であるという課題を有していた。また、特に奥方向の商品収納部から搬出された商品は、商品シュートへの着地時点で緩衝されていても、商品取出口まで送出される距離が大きなため、商品が商品シュート上を転動することにより送出速度が加速され、商品取出口で商品に大きな衝撃力が加わり、搬出音が大きい、商品の傷つき、強炭酸飲料の泡吹き等という課題を有していた。
【０００７】
本発明は、上記従来の課題を解決するもので、商品搬出時の商品に加わる衝撃力を抑えることにより商品搬出時の騒音、商品の傷つき、強炭酸商品の泡吹き等を抑制することができる自動販売機を提供することを目的とする。
【課題を解決するための手段】
【０００８】
上記従来の課題を解決するために、本発明の自動販売機は、商品払出装置を下方に備えた商品収納室から落下した商品を商品取出口へ案内する商品シュートを前記商品収納室の下方に傾斜して備えるとともに、前記商品収納室内に収納された前記商品が横倒し姿勢で前記商品シュートに落下送出される自動販売機において、前記商品収納室は左右の側壁と前記商品収納室下方の前記商品払出装置と前記商品払出装置に対面する規制板で構成され、前記商品払出装置と前記商品シュートの間で、商品収納室を構成する前記側壁の一方に商品通路内に向かって凸部を設けて、前記商品収納室から落下した商品が前記商品シュート上に着地する前に前記商品の長手方向に対し一方が前記凸部と干渉するようにした商品収納室から落下した商品は、落下過程で側壁に設けた凸部に商品の一方が干渉することで落下姿勢に傾きが生じる。
【０００９】
したがって、商品シュート上には商品の長手方向に対してどちらか一方が先に商品シュート上に着地することとなり、かつ、遅れて他方も商品シュート上へ着地する。
【００１０】
この運動動作により、商品シュート上へ完全に着地するまでにある程度の時間を要することとなり、側壁に凸部がない場合と比べ、商品落下時において商品シュート上で瞬間的に発生する大きな衝撃力を緩衝（運動エネルギーを発散）することができる。また、落下時の運動エネルギーは商品シュート傾斜面との衝突により商品取出口の方向へ運動方向が変化するが、この運動も結果として低減できるため、商品取出口での衝撃力についてもあわせて低減することができる。この結果、搬出音の低減、商品の傷つき抑制、強炭酸の泡吹き等を抑制する目的が達成できる。
【発明の効果】
【００１１】
本発明の自動販売機は、商品払出時の商品シュート上での衝撃および商品取出口での衝撃力などを抑制することができ、搬出音の低減、商品の傷つき抑制、強炭酸の泡吹き等を抑制できる。
【発明を実施するための最良の形態】
【００１２】
請求項１に記載の発明は、商品払出装置を下方に備えた商品収納室から落下した商品を商品取出口へ案内する商品シュートを前記商品収納室の下方に傾斜して備えるとともに、前記商品収納室内に収納された前記商品が横倒し姿勢で前記商品シュートに落下送出される自動販売機において、前記商品収納室は左右の側壁と前記商品収納室下方の前記商品払出装置と前記商品払出装置に対面する規制板で構成され、前記商品払出装置と前記商品シュートの間で、前記商品収納室を構成する前記側壁の一方に商品通路内に向かって凸部を設けたようにしたものである。
【００１３】
これによって商品収納室から落下した商品は、落下過程で側壁に設けた凸部に商品の一方が干渉することで落下姿勢に傾きが生じて、商品シュート上には商品の長手方向に対してどちらか一方が先に商品シュート上に着地することとなり、かつ、遅れて他方も商品シュート上へ着地する。この運動動作により、商品シュート上へ完全に着地するまでにある程度の時間を要することとなり、側壁に凸部がない場合と比べ、商品落下時において商品シュート上で瞬間的に発生する大きな衝撃力を緩衝（運動エネルギーを発散）することができる。また、落下時の運動エネルギーは商品シュート傾斜面との衝突により商品取出口の方向へ運動方向が変化するが、この運動も結果として低減できるため、商品取出口での衝撃力についてもあわせて低減することができ、商品搬出時の騒音、商品の傷つき、強炭酸商品の泡吹き等を抑制することができる。
【００１４】
請求項２に記載の発明は、請求項１に記載の発明において、前記商品収納室から落下した前記商品が前記商品シュート上に着地する前に前記商品の長手方向に対しキャップ側が前記凸部と干渉するようにしたものである。
【００１５】
これによって商品収納室から落下した商品は、落下過程で側壁に設けた凸部に商品のキャップ側が干渉することで商品の底部側が下向きに傾くよう運動方向を制御して、商品シュート上には商品の長手方向に対して底部側が先に商品シュート上に着地することとなり、かつ、遅れて他方も商品シュート上へ着地する。この運動動作により、商品の重心の変動を抑制するとともに商品内部の液体の揺動を低減することができ、特に強炭酸商品の泡吹き等を抑制することができる。
【００１６】
請求項３に記載の発明は、請求項１または２に記載の発明において、前記凸部上面を前記商品払出装置と前記商品取出口の位置関係からみて前記商品取出口と反対方向へ前記商品を誘導するように傾斜させたものである。
【００１７】
これによって商品シュート上には商品の長手方向に対して底部側が先に商品シュート上に着地することとなり、かつ、遅れてキャップ側は凸部上面の傾斜によって商品払出装置と商品取出口の位置関係からみて商品取出口と反対方向へ誘導されながら商品シュート上へ着地する。この運動動作により、商品シュート上へ完全に着地した時点で商品の底部側が商品取出口方向へ向く頻度が多くなるから、商品が商品取出口まで商品シュートにより誘導される過程で商品シュート上を転動しないで滑走する機会が増加し、商品が商品シュート上を転動する場合に比べ送出速度の加速を低減でき、商品搬出時の騒音、商品の傷つき、強炭酸商品の泡吹き等を抑制することができる。
【００１８】
請求項４に記載の発明は、請求項１から３のいずれか一項に記載の発明において、前記凸部の前端部は前記規制板との隙間がなく、かつ、前記凸部の後端部は前記規制板との間に前記商品のキャップ径よりも大きな隙間を設けたものである。
【００１９】
これによって、商品シュート上には商品の長手方向に対して底部側が先に商品シュート上に着地することとなり、かつ、遅れて他方のキャップ側は凸部の後端部と規制板との間に設けられた隙間をキャップが通過するため、商品払出装置と商品取出口の位置関係からみて商品取出口と反対方向へ誘導されながら商品シュート上へ着地する。この運動動作により、商品シュート上へ完全に着地した時点で商品の底部側が商品取出口方向へ向く頻度が多くなる。このことから、商品が商品取出口まで商品シュートにより誘導される過程で商品シュート上を滑走する機会が増加し、商品が商品シュート上を転動する場合に比べ送出速度の加速を低減でき、商品搬出時の騒音、商品の傷つき、強炭酸商品の泡吹き等を抑制することができる。
【００２０】
請求項５に記載の発明は、請求項１から４のいずれか一項に記載の発明において、前記凸部の最大凸部と前記凸部と対向する側の前記商品収納室の前記側壁との間の寸法を、前記商品が水平面に対し３０°程度以上に達した時点で干渉が解除されるように構成したものである。
【００２１】
これによって、商品の傾きすぎによる詰まり、または凸部と商品シュート間での商品の詰まり等のリスクをなくすことができ、確実に商品を払い出しすることができる。
【００２２】
請求項６に記載の発明は、請求項１から５のいずれか一項に記載の発明において、前記凸部を前記商品シュート面に対して前記商品胴径寸法よりも上方へ設けたものである。
【００２３】
これによって、商品シュート上を滑走または転動する商品に対し、側壁に設けられた凸部が干渉することがなく、複数の商品収納部からなる商品収納装置において、全ての商品収納部に構成することができる。
【００２４】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２５】
（実施の形態１）
図１は、本発明の実施の形態１における自動販売機の側面図である。図２から図４は、同実施の形態における自動販売機の商品収納室から落下した商品の動作を示す要部斜視図である。
【００２６】
図１において、自動販売機１０１の図示しない内側天井部に吊り下げられ左右方向に複数並設された商品収納室１０２と、商品収納室１０２下部に備えられた商品払出装置１０３と、自動販売機１０１前面下部に設けられた商品取出口１０４と、商品収納室１０２の下方に傾斜して備えられ、商品払出装置１０３より搬出された商品１０５を商品取出口１０４へ案内する商品シュート１０６と、を備えている。
【００２７】
また、商品シュート１０６前端と商品取出口１０４との間には断熱壁１０７が設けられ、断熱壁１０７には商品シュート１０６により案内された商品１０５を商品取出口１０４側へ通過させるための開口部１０７ａと回動自在に軸支されたフラップ１０８が設けられ、フラップ１０８は商品１０５の通過以外は開口部１０７ａを閉じるよう備えられている。また、商品収納室１０２下端と商品シュート１０６の間（商品１０５の長手方向に対しキャップ側になるよう）で、商品通路内に向かって凸部１０９を設け、商品収納室１０２にストックされた商品１０５が商品払出装置１０３の動作により搬出されると商品１０５は商品シュート１０６上に落下する前に商品１０５の長手方向に対しキャップ側が凸部１０９と干渉するよう構成されている。
【００２８】
ここで、凸部１０９の上面は商品払出装置１０３と商品取出口１０４の位置関係からみて商品取出口１０４と反対方向へ商品１０５を誘導するよう傾斜させており、また、凸部１０９の前端部（商品払出装置１０３と商品取出口１０４の位置関係からみて商品取出口１０４方向の端部）は規制板１１０（または商品払出装置１０３）との隙間がなく、また、凸部１０９の後端部（商品払出装置１０３と商品取出口１０４の位置関係からみて商品取出口１０４と反対方向の端部）は規制板１１０（または商品払出装置１０３）との間に商品１０５のキャップ径（Ａ寸法）よりも大きな隙間（Ｂ寸法）が設けられている。
【００２９】
また、凸部１０９の最大凸部１０９ａと凸部１０９と対向する側の商品収納室１０２の側壁１１１との間の寸法を、商品がある傾き（水平面に対し３０°程度）に達した時点で干渉が解除されるように（通過可能なように）構成し、また、凸部１０９の下端と商品シュート間の隙間（Ｃ寸法）は商品１０５の胴径寸法（Ｄ寸法）よりも上方へ構成されている。
【００３０】
以上のように構成された自動販売機について、以下、図２から図４にて、その動作、作用を説明する。
【００３１】
まず、図２のように、商品収納室１０２にストックされた商品１０５が商品払出装置１０３の動作により搬出されると商品１０５は商品シュート１０６に向かって落下する。この落下過程で商品１０５は、横倒しかつ長手方向が横向き状態となっている。そのため、商品１０５の長手方向に対してキャップ側が凸部１０９に接触することとなり、落下姿勢に傾きが生じ、商品シュート１０６上には商品の長手方向に対して底部側が先に商品シュート１０６上に着地することとなる。
【００３２】
一方、図３のように、商品１０５のキャップ側は、凸部１０９の上面の傾斜により、商品払出装置１０３と商品取出口１０４の位置関係からみて商品取出口１０４と反対方向へ誘導される。また、誘導された商品１０５のキャップ側は、凸部１０９の後端部（商品払出装置１０３と商品取出口１０４の位置関係からみて商品取出口１０４と反対方向の端部）と規制板１１０（または商品払出装置１０３）との間の隙間を通過し、底部側に遅れて商品シュート１０６上に着地する。キャップ側は底部側よりも遅れて着地するため、先に着地している底部側は商品シュート１０６上を滑り始めており、図４のように、商品シュート１０６上へ完全に着地した時点で商品１０５の底部側が商品取出口１０４方向へ向く（縦向き）頻度が多くなる。
【００３３】
以上のように、本実施の形態では、商品収納室１０２下端と商品シュート１０６の間に（商品１０５の長手方向に対しキャップ側になるよう）凸部１０９を設け、商品収納室１０２にストックされた商品１０５が商品払出装置１０３の動作により搬出されると商品１０５は商品シュート１０６上に落下する前に商品１０５の長手方向に対しどちらか一端が凸部１０９と干渉するよう構成されているため、商品収納室１０２から落下した商品１０５は、落下過程で側壁１１１に設けた凸部１０９に商品１０５の一方が干渉することで落下姿勢に傾きが生じる。
【００３４】
したがって、商品シュート１０６上には商品１０５の長手方向に対してどちらか一方が先に商品シュート１０６上に着地することとなり、かつ、遅れて他方も商品シュート１０６上へ着地する。この運動動作により、商品シュート１０６上へ完全に着地するまでにある程度の時間を要することとなり、側壁１１１に凸部１０９がない場合と比べ、商品落下時において商品シュート１０６上で瞬間的に発生する大きな衝撃力を緩衝（運動エネルギーを発散）することができる。
【００３５】
また、落下時の運動エネルギーは商品シュート傾斜面との衝突により商品取出口１０４の方向へ運動方向が変化するが、この運動も結果として低減できるため、商品取出口１０４での衝撃力についてもあわせて低減することができ、商品搬出時の騒音、商品の傷つき、強炭酸商品の泡吹き等を抑制することができる。
【００３６】
また、凸部１０９を商品１０５の長手方向に対しキャップ側が干渉するよう構成することにより、商品収納室１０２から落下した商品１０５は、落下過程で側壁１１１に設けた凸部１０９に商品１０５のキャップ側が干渉することで商品１０５の底部側が下向きに傾くよう運動方向を制御する。したがって、商品シュート１０６上には商品１０５の長手方向に対して底部側が先に商品シュート１０６上に着地することとなり、かつ、遅れて他方も商品シュート１０６上へ着地する。この運動動作により、（商品の重心位置は長手方向に対して商品底部側にやや偏っており）商品１０５の重心の変動を抑制するとともに商品内部の液体の揺動を（これと逆の運動とくらべて）低減することができ、特に強炭酸商品の泡吹き等を抑制することができる。
【００３７】
また、凸部１０９の上面は商品払出装置１０３と商品取出口１０４の位置関係からみて商品取出口１０４と反対方向へ商品１０５を誘導するよう傾斜させることにより、商品収納室１０２から落下した商品１０５は、落下過程で側壁１１１に設けた凸部１０９に商品１０５のキャップ側が干渉することで商品１０５の底部側が下向きに傾くよう運動方向を制御する。
【００３８】
したがって、商品シュート１０６上には商品１０５の長手方向に対して底部側が先に商品シュート１０６上に着地することとなり、かつ、遅れて他方（キャップ側）は凸部上面の傾斜によって商品払出装置１０３と商品取出口１０４の位置関係からみて商品取出口１０４と反対方向へ誘導されながら商品シュート１０６上へ着地する。この運動動作により、商品シュート１０６上へ完全に着地した時点で商品１０５の底部側が商品取出口１０４方向へ向く（縦向き）頻度が多くなる。
【００３９】
このことから、商品１０５が商品取出口１０４まで商品シュート１０６により誘導される過程で商品シュート１０６上を（転動しないで）滑走する機会が増加し、商品１０５が商品シュート１０６上を転動する場合に比べ送出速度の加速を低減でき、商品搬出時の騒音、商品の傷つき、強炭酸商品の泡吹き等を抑制することができる。
【００４０】
また、凸部１０９の前端部（商品払出装置１０３と商品取出口１０４の位置関係からみて商品取出口１０４方向の端部）は規制板１１０（または商品払出装置１０３）との隙間がなく、また、凸部１０９の後端部（商品払出装置１０３と商品取出口１０４の位置関係からみて商品取出口１０４と反対方向の端部）は規制板１１０（または商品払出装置１０３）との間に商品１０５のキャップ径（Ａ寸法）よりも大きな隙間（Ｂ寸法）を設けるように構成されているため、商品収納室１０２から落下した商品１０５は、落下過程で側壁１１１に設けた凸部１０９に商品１０５のキャップ側が干渉することで商品１０５の底部側が下向きに傾くよう運動方向を制御する。
【００４１】
したがって、商品シュート１０６上には商品１０５の長手方向に対して底部側が先に商品シュート１０６上に着地することとなり、かつ、遅れて他方（キャップ側）は凸部１０９の後端部（商品払出装置１０３と商品取出口１０４の位置関係からみて商品取出口１０４と反対方向の端部）と規制板１１０（または商品払出装置１０３）との間に設けられた隙間をキャップが通過するため、商品払出装置１０３と商品取出口１０４の位置関係からみて商品取出口１０４と反対方向へ誘導されながら商品シュート１０６上へ着地する。この運動動作により、商品シュート１０６上へ完全に着地した時点で商品１０５の底部側が商品取出口１０４方向へ向く（縦向き）頻度が多くなる。
【００４２】
このことから、商品１０５が商品取出口１０４まで商品シュート１０６により誘導される過程で商品シュート１０６上を（転動しないで）滑走する機会が増加し、商品１０５が商品シュート１０６上を転動する場合に比べ送出速度の加速を低減でき、商品搬出時の騒音、商品の傷つき、強炭酸商品の泡吹き等を抑制することができる。
【００４３】
また、凸部１０９の最大凸部１０９ａと凸部１０９と対向する側の商品収納室１０２の側壁１１１との間の寸法を、商品１０５がある傾き（水平面に対し３０°程度）に達した時点で干渉が解除されるように（通過可能なように）構成されているため、商品収納室１０２から落下した商品１０５は、落下過程で側壁１１１に設けた凸部１０９に商品１０５の一方が干渉することで落下姿勢に傾きが生じる。したがって、商品シュート１０６上には商品１０５の長手方向に対してどちらか一方が先に商品シュート１０６上に着地することとなり、かつ、遅れて他方も商品シュート１０６上へ着地する。これらの動作において、商品１０５の傾きすぎによる詰まり等のリスクをなくすことができ、確実に払い出しできる。
【００４４】
また、凸部１０９の下端と商品シュート間の隙間（Ｃ寸法）は商品１０５の胴径寸法（Ｄ寸法）よりも上方へ構成されているため、商品シュート１０６上を滑走または転動する商品１０５に対し、側壁１１１に設けられた凸部１０９が干渉することがなく、複数の商品収納部からなる商品収納装置において、全ての商品収納部に構成することができる。
【産業上の利用可能性】
【００４５】
以上のように、本発明にかかる自動販売機は、商品落下時および商品取出口までの送出時の商品へ加わる衝撃力の抑制ができ、搬出音の低減、商品の傷つき抑制、強炭酸の泡吹き等を抑制することができる。
【図面の簡単な説明】
【００４６】
【図１】本発明の実施の形態１における自動販売機の側面図
【図２】同実施の形態の自動販売機の要部斜視図
【図３】同実施の形態の自動販売機の要部斜視図
【図４】同実施の形態の自動販売機の要部斜視図
【図５】従来の自動販売機の断面図
【符号の説明】
【００４７】
１０１  自動販売機
１０２  商品収納室
１０３  商品払出装置
１０４  商品取出口
１０５  商品
１０６  商品シュート
１０９  凸部
１０９ａ  最大凸部
１１０  規制板
１１１  側壁
【図１】
2008217403.tif 000003
【図２】
2008217403.tif 000004
【図３】
2008217403.tif 000005
【図４】
2008217403.tif 000006
【図５】
2008217403.tif 000007